(57)【要約】【課題】粘着性発現時の高感度化と、粘着力と安定性とを確保出来る粘着ラベルを提供する。【解決手段】支持体１１の一方の面に形成された、感圧性粘着剤からなる粘着剤層１２と、粘着剤層１２を被う熱反応膜１３とを有する粘着ラベル１０において、熱反応膜１３は非粘着性であり、保管温度以上の融点と、加熱温度以下の沸点を有する物質であり、加熱により形成される熱反応膜の開口部を介して粘着性を発現させる粘着ラベルを提供する。【選択図】図４
2012145717.tif 000002
【特許請求の範囲】
【請求項１】
支持体の一方の面に形成された粘着面を有する粘着ラベルであって、
前記粘着面は、支持体の一方の面上に形成された粘着剤層と、
前記粘着剤層を被い、開口部が形成される非粘着性の熱反応膜と、を有し、
前記熱反応膜は、融点５０度以上、沸点２６０度以下の材料で形成されることを特徴とする粘着ラベル。
【請求項２】
前記粘着剤層は、前記熱反応膜に前記開口部を形成する加熱温度以下において粘着特性が変化しない材料からなることを特徴とする請求項１に記載の粘着ラベル。
【請求項３】
前記熱反応膜に前記開口部を形成する加熱温度は、前記熱反応膜の材料の沸点以上であることを特徴とする請求項１又は請求項２に記載の粘着ラベル。
【請求項４】
前記熱反応膜は、１μｍ以下の厚さで形成されることを特徴とする請求項１から３のいずれか１項に記載の粘着ラベル。
【請求項５】
前記支持体の他方の面に感熱記録層が形成されていることを特徴とする請求項１から４のいずれか１項に記載の粘着ラベル。
【請求項６】
支持体の一方の面上に形成された粘着剤層と、該粘着剤層を被う非粘着性の熱反応膜とを有する粘着ラベルを作製する粘着ラベル作製装置であって、
前記粘着ラベルを収納する収納部と、
前記熱反応膜に開口部が形成される加熱温度以上で加熱する加熱手段と、
加熱手段により熱反応膜が気化したものを吸引する吸引手段と、を有することを特徴とする粘着ラベル作製装置。
【請求項７】
前記加熱手段はサーマルヘッドであり、前記熱反応膜を任意の位置で選択的に加熱し、所望のパターンで複数の前記開口部を形成することを特徴とする請求項６に記載の粘着ラベル作製装置。
【請求項８】
前記粘着ラベルが前記支持体の他方の面上に感熱記録層を有している場合において、
前記感熱記録層に所望の印刷情報を記録するための記録手段を有することを特徴とする請求項６又は請求項７に記載の粘着ラベルの作製装置。
【請求項９】
前記記録手段はサーマルヘッドであることを特徴とする請求項８に記載の粘着ラベル作製装置。
【発明の詳細な説明】
【技術分野】
【０００１】
本発明は粘着ラベルとその作製装置に関する。
【背景技術】
【０００２】
従来の一般的な粘着ラベルは、一方の面に印刷面、他方の面に粘着面を有し、これらをロール状に巻回したものや、シート状にしたものが広く知られている。
【０００３】
そして、これらの粘着ラベルは、通常、重ねて保存、あるいは保管される。そのため、粘着ラベル同士が互いに貼り付かないよう、粘着面を剥離紙で覆ったものが知られている。このような粘着ラベルは、使用時に剥離紙から剥がして使用し、使用後の剥離紙は、廃棄物として処理されていた。また、プリンター等の印刷装置により粘着ラベルを作製する場合、作製後に剥離紙からラベルを剥がすための作業が手間となっていた。  このように、従来の粘着ラベルでは環境保護に対する課題や、労力、コストの面で様々な課題を有していた。
【０００４】
これらの課題に鑑み、近年では粘着ラベルの粘着面を感熱性粘着剤で形成することで剥離紙を不要とした粘着ラベルが提案されている（特許文献１）。即ち、粘着面に使用される感熱性粘着剤は、通常は非粘着で、一定の温度以上に加熱することで粘着性を発現するので、保存、保管時には粘着性がなく、このため剥離紙が不要となる。
【０００５】
この粘着ラベルは、粘着面に感熱性粘着剤を使用することにより、加熱後の高い粘着性と、未加熱状態で長期間保存してもブロッキングを生じさせない耐ブロッキング性に優れている。また、この粘着ラベルは、低熱エネルギーで活性化が可能で、耐ブロッキング性と、非粗面の被着物に対しても粗面の被着物に対しても粘着力が優れている。
【０００６】
また、基材の一方の面に記録面、他方の面に感圧性粘着剤からなる粘着面を形成し、粘着面を非粘着性の樹脂フィルムで覆う粘着ラベルが提案されている（特許文献２）。これにより、保存、保管時のブロッキングを防止し、粘着力が必要な場合には、樹脂フィルムを選択的に加熱して開口部させ、その開口部から下層の粘着剤層を露出させて被着物に貼付ける粘着ラベルの構成について記載している。
【先行技術文献】
【特許文献】
【０００７】
【特許文献１】特開２００６−０８３１９６号公報
【特許文献２】特開２００６−７８７３３号公報
【発明の概要】
【発明が解決しようとする課題】
【０００８】
しかし、感熱性粘着剤に含まれる固体可塑剤は、ガラス転移点（Ｔｇ）が常温以下であって、その為、常温保存状態においても、ある程度の粘着力が発現されることは避けられない。これらの課題を解決するには、固体可塑剤の活性化するガラス転移点を常温よりも高くして、常温下での粘着性を抑え、ブロッキングを防止することが考えられるが、同時に充分な粘着性発現のためには大きな熱エネルギーが必要となる。
【０００９】
一方、上述の構成で強い粘着力、即ち、様々な被着体に対応した粘着力を得るために、感熱性粘着剤の層を厚く形成することが考えられるが、この場合、さらに大きな熱エネルギーが必要となり、熱源の電源容量を大きくしなければならない等の課題が発生する。
結局、常温でのブロッキング現象を防止することと、比較的低い熱エネルギーによって高い粘着性を確保することを両立させるのは困難である。
【００１０】
さらに、感熱性粘着剤に含まれている固体可塑剤は温度に依存する結晶性を有しているため、熱活性後の再結晶化による粘着性の急激な低下を生じさせる。
【００１１】
また、サーマルプリンター等のサーマルヘッドを熱源として感熱性粘着剤を加熱溶融させる場合、直接サーマルヘッドと感熱性粘着剤が接することから、粘着ラベルの搬送不良や、紙ジャム等の発生につながるという課題を有していた。
【００１２】
また、樹脂フィルムで覆う粘着ラベルでは、感圧性粘着剤層の表面上に配置されている樹脂フィルムを、サーマルヘッド等の熱源により加熱する。その際に、サーマルヘッド等の熱源による加熱点を熱のピークとした熱の分布が生じ、加熱点から樹脂フィルムの溶融が始まり、穴（開口部）が形成される。熱源の熱は、加熱点から周囲に次第に広がる。この穴の大きさは、樹脂の固有の熱伝導率と、加えられる熱の大きさとによって決定される。したがって、同一の樹脂フィルムにおいて、より大きな穴を形成するためには、より高い熱を必要とするという問題があった。また、本来は被着体に作用させるための感圧性粘着剤層の粘着力が、樹脂フィルムに対しても作用するため、加熱時の樹脂フィルムの熱変形や熱収縮を阻害する要因となる。そうすると、十分な大きさで高精度の開口部を形成することができず、開口部を介して露出する感圧性粘着剤層の粘着力を十分に発揮することができない場合がある。
【００１３】
以上説明した従来の粘着ラベルは、剥離紙が不要であるが、常温では非粘着性で加熱により粘着特性を発現させるためには、熱エネルギーが大きくなるという共通の技術的課題を有する。
【００１４】
加熱による材料の反応を考慮すると、まず、加熱する対象となる材料の温度を上昇させて反応を誘起することが基本的な前提条件となる。また、熱容量の観点から、材料の温度上昇は、加熱する対象の材料の比熱や質量が主要因となり、材料の比熱が小さく、かつ塗布量が少なく層厚が薄い方が有利である事が知られている。しかし、粘着ラベルは、一般的に不特定な被着体を対象とすることから、粘着ラベルの粘着剤の塗布量は多くなる傾向にある。
本発明は、これらの課題を解決することを目的としたものである。
【課題を解決するための手段】
【００１５】
本発明に係る粘着ラベルは、支持体の一方の面に形成された粘着面を有する粘着ラベルであって、該粘着面は、支持体の一方の面上に形成された粘着剤層と、前記粘着剤層を被い、開口部が形成される非粘着性の熱反応膜と、を有し、前記熱反応膜は、融点５０度以上、沸点２６０度以下の材料で形成されることを特徴とする。
【００１６】
本発明によれば、粘着ラベルの粘着面全面は融点が５０度以上の非粘着性の熱反応膜に覆われている。そのため、所謂保管時のブロッキング等の発生が防止できる。
【００１７】
また、沸点が２６０度以下の非粘着性の熱反応膜は、加熱温度が２６０度より大きい温度の熱源を持つサーマルヘッド等の加熱より、容易に開口部が形成される。更に、熱反応膜は気化するため、樹脂フィルムのような熱変形や熱収縮の影響がないため、効率良く熱反応膜に開口部を形成して粘着剤層による粘着性を発揮できる粘着ラベルが提供できる。
【００１８】
また、剥離紙等の廃棄物を無くしたため、環境保護の観点からも好ましい粘着ラベルを提供することができる。
加えて、粘着ラベルをロール状に巻回する場合等において、不要とした剥離紙の厚み分だけ、粘着ラベルの単価コストを低く抑えることが出来る。
同時に、本発明による粘着ラベルを使用することで、粘着ラベルの作製装置内への糊ゴミの付着や、これに起因して発生する紙ジャム、粘着ラベル搬送不良も無くなる。
これにより、粘着特性発現の為の加熱を最小として高感度化を達成し、更に、感圧性粘着剤の特性である粘着力と安定性とを確保出来る粘着ラベルを得ることができる。
【００１９】
また、前記粘着剤層は、前記熱反応膜に前記開口部を形成する加熱温度以下において粘着特性が変化しない材料からなることを特徴とする。
また、前記熱反応膜に前記開口部を形成する加熱温度は、前記熱反応膜の材料の沸点以上であることを特徴とする。
また、熱反応膜の厚みを薄くすることで高感度化が可能となり、厚みとしては１μｍ以下にすることが望ましい。
また、前記支持体の他方の面に感熱記録層が形成されていることを特徴とする。
【００２０】
また、本発明に係る粘着ラベル作製装置は、支持体の一方の面上に形成された粘着剤層と、該粘着剤層を被う非粘着性の熱反応膜とを有する粘着ラベルを作製する粘着ラベル作製装置であって、前記粘着ラベルを収納する収納部と、加熱により前記熱反応膜に開口部を形成する加熱手段と、加熱手段により熱反応膜が気化したものを吸引する吸引手段と、を有することを特徴とする。
【００２１】
本発明によれば、熱効率が良好となることでサーマルヘッド等の駆動電力を小さく出来、電源やラベル作製装置本体の小型化が可能となる等の効果を有する。
【００２２】
また、前記加熱手段は、サーマルヘッドであり、前記熱反応膜を任意の位置で選択的に加熱し、所望のパターンで複数の前記開口部を形成することを特徴とする。
【００２３】
粘着ラベル作製装置のサーマルヘッドを熱源とすることで、粘着ラベルの粘着面の所望の粘着領域に所望の粘着力を自在に制御可能であり、しかも感圧粘着剤を使用することで粗面、非粗面に関係なく、被着体に合わせて充分な粘着特性を発現する粘着ラベルを得ることができる。
【００２４】
また、前記支持体の他方の面上に感熱記録層を有しており、前記感熱記録層に所望の印刷情報を記録するための記録手段を有することを特徴とする。また、前記記録手段はサーマルヘッドであることを特徴とする。
【発明の効果】
【００２５】
本発明によれば、粘着ラベルの粘着面全面は融点が５０度以上の非粘着性の熱反応膜に覆われている。そのため、所謂保管時のブロッキング等の発生が防止できる。
【図面の簡単な説明】
【００２６】
【図１】本発明の粘着ラベル作製装置の一例を示す概略図である。
【図２】本発明の実施形態の粘着ラベルの一例を示す断面図である。
【図３】本発明の実施形態の粘着ラベルの一例を示す断面図である。
【図４】本発明の実施形態の粘着ラベルの一例を示す断面図である。
【図５】本発明の粘着ラベルの開口部の配置パターンを示す平面図である。
【図６】本発明の粘着ラベルの開口部の配置パターンを示す平面図である。
【図７】本発明の粘着ラベル作製装置の一例を示す概略図である。
【発明を実施するための形態】
【００２７】
以下、本発明の実施の形態を図に基づいて詳細に説明する。図１は、粘着ラベル作製装置の模式図を示している。また図２から図４は粘着ラベルの断面図を示す。
【００２８】
粘着ラベル作製装置１００は、粘着ラベルを収納する収納部１と、印字部２と、粘着発現部３と、切断部４とを備えている。
【００２９】
収納部１には、ロール状に巻回された粘着ラベル１０が保持されている。また、支持体１１の感熱記録層１４に所望の印刷情報を記録するための記録手段を有する。
【００３０】
図２は、収納部１内の粘着ラベル１０の断面を示す図である。粘着ラベル１０は、支持体１１の一方の面に形成された粘着面を有する粘着ラベルであって、粘着面は、支持体１１の一方の面上に粘着剤層１２と、粘着剤層を被い、開口部が形成される非粘着性の熱反応膜１３とを有している。また、支持体１１の他方の面には感熱記録層１４が形成されている。また、感熱記録層１４上に感熱記録層１４を保護するオーバーコート１５が形成されている。
【００３１】
粘着層１２は、例えば水、溶剤や熱等を用いなくても常温で僅かな圧力を短時間で加えるだけで粘着性が発現される感圧性粘着剤からなる層であり、支持体１１の一方の面上に形成されている。
【００３２】
なお、感圧性粘着剤としては、凝集力と弾性力とを共に有し、且つ高い粘着性を有する一方、容易に剥離可能とされるものが好ましい。
【００３３】
但し、粘着層１２は、感圧性粘着剤からなるものに限定されず、例えば、天然ゴム、スチレンブタジエンゴム（ＳＢＲ）、ポリイソブチレンゴム等のゴム系粘着剤や、ガラス転移点の低いモノマーと高いモノマーとを共重合した非架橋系のアクリル系粘着剤や、高凝集力のシリコーンと高粘着力のシリコーンレジンとからなるシリコーン系粘着剤等からなるものであっても構わない。
【００３４】
粘着ラベル１０は、粘着剤層１２が非粘着性の熱反応膜１３によって覆われているため、粘着性を発揮できない状態である。従って、複数の粘着ラベル１を積み重ねて保管したり、図１に示すように長尺の粘着ラベル１０を巻回し、ロール状にして保管したりしても互いに貼り付くことがなく、いわゆるブロッキング現象が防止できる。また、この未加熱状態では、非粘着状態に保たれているので、粘着ラベル作製装置内において様々な部材に付着することがなく、通紙性が良好である。この収納部１から繰り出された粘着ラベル１０は搬送されて、記録手段である印字部２に送られる。
【００３５】
図３は、パターン記録層１４１が形成された粘着ラベル１０の断面を示す図である。印字部２において、粘着ラベル１０は、サーマルヘッド２１とプラテンローラ２２によって挟持されながら搬送され、所望の位置でサーマルヘッド２１により感熱記録層１４に所望のパターン、即ち、文字、記号、図柄等パターンが記録され、パターン記録層１４１が形成される。その後、粘着ラベル１０は粘着発現部３に搬送される。
【００３６】
図４は、開口部（粘着力調整部）１３１が形成された粘着ラベル１０の断面を示す図である。粘着発現部３において、サーマルヘッド３１とプラテンローラ３２とにより挟持されて所望の位置で加熱される。これにより、熱反応膜１３には、サーマルヘッド３１により所望の位置で所望の開口部１３１が選択的に形成される。具体的には、熱反応膜１３のサーマルヘッド３１に接する部分が加熱されて相変化し、開口部１３１が形成される。この時、熱反応膜４の下層に位置する粘着剤層１２は熱反応膜４に比して熱容量が大きいため温度上昇せず、粘着特性が変化しないため、ほとんど変形しない。
【００３７】
このとき、一例として、図５に示すように均等な間隔でマトリクス状に並んだ複数の開口部１３１を形成することができる。また、開口部１３１を介して露出する下層の粘着剤の粘着力を制御することができる。一般的に、開口部１３１の総面積が大きいほど粘着力は大きく、開口部１３１の配置パターンを、図５示すような市松模様や千鳥模様にしたり、多角形の幾何学的パターンにしたりすることができる。
【００３８】
さらには、図６に示すような、粘着ラベル中央部を矩形状に開口する、即ち粘着ラベルのほぼ全面を開口するように大きな開口部１３１を形成することが可能で、粘着力が制御できる。また、加熱手段としては、サーマルヘッド３１に限定されるものでなく、適宜応じたものを使用できる。
【００３９】
このような開口部１３１を得るためには、熱反応膜１３の沸点をサーマルヘッド３１で加熱される温度以下にする。即ち、サーマルヘッドでの加熱温度は２６０度より大きいため、２６０度以下の沸点の熱反応膜１３を用いることで開口部１３１が得られる。さらに、熱反応膜の沸点が２５０度以下であれば、確実に開口部１３１が得られる。
【００４０】
また、保管時のブロッキング等の発生を防止するため、融点を保管時の温度以上にする。即ち、保管する温度以上の融点と、加熱する温度以下の沸点を有する物質であれば良い。さらに保管時の温度は５０度より高くならないため、融点５０度以上の物質であることが好ましい。すなわち、熱反応膜１３は、融点５０度以上、沸点２６０度以下の材料で形成される。物質の一例として、例えば、融点８０度沸点２１８度のナフタレン、融点５４度沸点１７４度のパラジクロロベンゼン、融点１８０度沸点２０８度のボルナン−２−オン等がある。このような物質からなる熱反応膜１３は加熱により気化するため、樹脂フィルムを用いたときのような千切れ等が発生しないため、加熱されない部分への影響が小さく、きれいな開口部パターンを得られる。また、熱反応膜１３の厚みを薄くすることで高感度化が可能となり、厚みとしては１μｍ以下にすることが望ましい。すなわち、熱反応膜４の融点以上で加熱することにより開口部１３１が形成され始め、熱反応膜４の沸点以上で加熱することにより、開口部１３１が完全に形成される。
【００４１】
また、気化したガスが、装置内で、冷却され凝集して付着することを防ぐために、図７に示すように、粘着発現部３に吸引部３３を設置してもよい。物質によっては、昇華・気化により臭気があるため、吸引部３３を設置することにより、使用者が不快無くしようすることができる。
【００４２】
その後、粘着ラベル１０は切断部４に搬送される。切断部４でカッタ部材４１、４２により、所望の長さに切断される。以上により、粘着ラベル１０を作製できる。そして、開口部１３１が形成された粘着ラベル１を被着体に軽く押し付けることで開口部１３１から露出する粘着剤層１２が被着体に付着し、被着体の面に沿って変形しながら貼り付けることができる。
【００４３】
本実施例では、収納部１、印字部２、粘着発現部３、切断部４の順に設置したが、設置順序は入れ替えることが可能であり、例えば、切断部４を、収納部１の直後に設置することができる。
【００４４】
また、支持体１１の粘着剤層１２とは他方の面に形成される層は、本実施形態のように熱で印刷を行なうサーマルヘッド方式で記録可能なものに限られず、インクジェット方式や電子写真方式などの他の印刷方式で記録可能なものであってもよい。更に、支持体１１の他方の面には、印刷可能な印刷層ではなく、ＲＦＩＤ等の無線タグや電子ペーパー等の表示手段を設ける事も可能である。
【符号の説明】
【００４５】
１  収納部
１０  粘着ラベル
１１  支持体
１２  粘着剤層
１３  熱反応膜
１３１  開口部（粘着力調整部）
１４  感熱記録層
１４１  パターン記録層
１５  オーバーコート
２  印字部
２１  サーマルヘッド（記録手段）
２２  プラテンローラ
２３  インクジェット部（記録手段）
３  粘着発現部
３１  サーマルヘッド（加熱手段）
３２  プラテンローラ
３３  吸引部（集塵・ガス吸着手段）
４  切断部
４１、４２  カッタ部材
１００  粘着ラベル作製装置
【図１】
2012145717.tif 000003
【図２】
2012145717.tif 000004
【図３】
2012145717.tif 000005
【図４】
2012145717.tif 000006
【図５】
2012145717.tif 000007
【図６】
2012145717.tif 000008
【図７】
2012145717.tif 000009